(57)【特許請求の範囲】
【請求項１】
ある直径を有するスピンドルであって、第一の端領域と、第二の端領域と、その周面に形成された少なくとも一つのジャーナルベアリングパターンとを含み、かつ前記第二の領域から同心的に垂下した前記スピンドルの直径よりも小さい直径を有する結合構造体を含むスピンドル、
基部、
開放した第一の端部分と、密封された第二の端部分と、少なくとも概ね前記第一の端部分から少なくとも概ね前記第二の端部分まで外方にテーパのついている内面とを含む全体的にカップ状の構造体、
第一と第二の面を有し、その第一の面に流体力学的ベアリングパターンを形成しており、前記スピンドルの結合構造体と結合するような形状とされた中央孔を画成し、外周領域が前記全体的にカップ状の構造体の第二の端部分の内面と結合するような形状とされているスラストワッシャ、
前記スピンドルと前記カップ状構造体との間で回転可能に装嵌するような形状とされたくぼみ領域を含み、前記カップ状の構造体のテーパー付き内面の少なくとも一部に対向した外周面を有し、前記スピンドルの結合構造体がそこを通して前記カップの第二の端部分に固定され、その周りで前記ハブが回転する中央開口を画成しており、かつ前記スピンドルの第二の端領域と隣接してスラストベアリングパターンを含むハブ、
前記ハブの内縁部において交番極性に配置された複数の永久磁石、および
前記複数の永久磁石に近接して前記基部に結合されたステータであって、円形に配置された複数の歯を含み、前記歯の各々が前記ステータを極性化して前記ハブを回転させるべく付勢されるように配備されたコイルすなわち巻き線を支持しているステータを含むことを特徴とするモータ組立体。
【請求項２】
前記スピンドルの外周面と前記ハブのくぼみ領域の内面とが毛管シールを形成するような外形とされており、
前記ハブのくぼみ領域の外周面と前記の全体的にカップ状の構造体の内面とが毛管シールを形成するような外形とされていることを特徴とする請求項１に記載のモータ組立体。
【請求項３】
全体的にカップ状の構造体が更にリップを含み、前記リップの面が更に前記ハブの隣接する面と共にラビリンスシールを含むことを特徴とする請求項２に記載のモータ組立体。
【請求項４】
前記全体的にカップ状の構造体が前記基部に形成されていることを特徴とする請求項１に記載のモータ組立体。
【請求項５】
前記全体的にカップ状の構造体の少なくとも第二の端部分が基部構造体に固定されていることを特徴とする請求項１に記載のモータ組立体。
【請求項６】
前記ハブが更に、潤滑剤の循環流路を含むことを特徴とする請求項１に記載のモータ組立体。
【請求項７】
前記スピンドルの第一の端部がモータ組立体のカバーを取り付けるためのボルトあるいはネジを受け入れる形状とされていることを特徴とする請求項１に記載のモータ組立体。
【請求項８】
前記ハブと共に回転するよう装着され磁気記憶媒体を含むディスクを更に含むことを特徴とする請求項１に記載のモータ組立体。
【請求項９】
ある直径を有するスピンドルであって、第一の端領域と、第二の端領域と、その周面に形成された少なくとも一つのジャーナルベアリングパターンとを含み、かつ前記第二の領域から同心的に垂下した前記スピンドルの直径よりも小さい直径を有する結合構造体を含むスピンドル、
全体的にカップ状の構造体を中に形成した基部であって、前記全体的にカップ状の構造体が第一の端部分と、第二の端部分と、少なくとも概ね前記第一の端部分から少なくとも概ね第二の端部分まで外方にテーパのついている内面とを有している基部、
第一と第二の面を有し、その第一の面に流体力学的ベアリングパターンを形成しており、前記スピンドルの結合構造体と結合するような形状とされた中央孔を画成し、外周領域が前記全体的にカップ状の構造体の第二の端部分の内面と結合するような形状とされているスラストワッシャ、
前記スピンドルと前記カップ状構造体との間で回転可能に装嵌するような形状とされたくぼみ領域を含み、前記カップ状の構造体のテーパー付き内面の少なくとも一部に対向した外周縁面を有し、前記スピンドルの結合構造体がそこを通して前記カップの第二の端部分に固定され、その周りで前記ハブが回転する中央開口を画成しており、かつ前記スピンドルの第二の端領域と隣接してスラストベアリングパターンを含むハブ、
前記ハブの内縁部において交番極性で配置されている複数の永久磁石、および
前記複数の永久磁石に近接して前記基部に結合されたステータであって、円形に配置された複数の歯を含み、前記歯の各々が前記ハブを回転させるべく前記ステータを極性化させるよう付勢されるように装備されたコイルすなわち巻き線を支持するステータを含むことを特徴とするモータ組立体。
【請求項１０】
前記スピンドルの結合構造体が圧入によって前記スラストワッシャの中央孔に結合されることを特徴とする請求項９に記載のモータ組立体。
【請求項１１】
前記スラストワッシャが圧入によって前記全体的にカップ状の構造体に結合されることを特徴とする請求項９に記載のモータ組立体。
【請求項１２】
前記スピンドルの外周面と前記ハブのくぼみ領域の内面とが毛管シールを形成するような外形とされていることを特徴とする請求項９に記載のモータ組立体。
【請求項１３】
前記ハブのくぼみ領域の外周面と前記の全体的にカップ状の構造体の内面とが毛管シールを形成するような外形とされていることを特徴とする請求項９に記載のモータ組立体。
【請求項１４】
前記全体的にカップ状の構造体の開放した第一の端部分が更にリップを含み、前記リップの面が更に前記ハブの隣接する面と共にラビリンスシールを含むことを特徴とする請求項９に記載のモータ組立体。
【請求項１５】
前記ハブが更に流体循環流路を含むことを特徴とする請求項９に記載のモータ組立体。
【請求項１６】
前記スピンドルの第一の端部がモータ組立体のカバーを取り付けるためのボルトあるいはネジを受け入れる形状とされていることを特徴とする請求項９に記載のモータ組立体。
【請求項１７】
前記ハブと共に回転するように装着された磁気記憶媒体を含むディスクを更に含むことを特徴とする請求項９に記載のモータ組立体。
【請求項１８】
前記スピンドルの材質が鋼およびアルミニュームの一方からなることを特徴とする請求項９に記載のモータ組立体。
【請求項１９】
前記基部の材質が鋼、アルミニュームおよび青銅の中の一つからなることを特徴とする請求項９に記載のモータ組立体。
【請求項２０】
前記ハブの材質がアルミニュームからなることを特徴とする請求項１０に記載のモータ組立体。
【発明の詳細な説明】
【技術分野】
【０００１】
本発明はモータ組立体の分野に関し、特に例えばディスクドライブ記憶装置のような電子メモリ装置のための多機能構成要素を有するモータ組立体に関するものである。
【背景技術】
【０００２】
ディスクドライブ記憶装置はデジタル情報を記憶するために多年に亘りコンピュータに使用されてきた。情報は磁気ディスク媒体の同心状のメモリトラックに記録され、実際の情報は該磁気ディスク媒体内での磁気の遷移の形態で記憶される。前記ディスク自体は固定スピンドルに回転可能に取り付けられたハブに装着されている。情報は、前記ディスクの表面の上方を半径方向に運動する枢動アームに一般的に位置している読取り／書込みヘッドによってアクセスされる。前記読取り／書込みヘッドすなわち変換器は情報の適切な読取りおよび書込みを確実なものとするためには記憶トラックと正確に整合している必要がある。
【０００３】
作動の間、ディスクは該ディスクを支持しているハブの内部に全体的に位置している電動モータによって密閉ハウジング内で極めて高速で回転する。通常使用されているモータの一つのタイプはハブ内（ｉｎ−ｈｕｂ）あるいはスピンドル内（ｉｎ−ｓｐｉｎｄｌｅ）モータとして知られている。そのようなスピンドル内モータは典型的にハブの中心に配置された固定モータシャフト（スピンドル）に対して球あるいは流体力学的ベアリング装置によって装着されているスピンドルを有している。一般的に、そのようなモータは組立体の基部に形成されていて、円形に配置された複数の歯をからなるステータを含む。前記歯の各々は前記ステータを極性化するために順次付勢しうるコイルすなわち巻き線を支持している。ステータの近傍で前記ハブの内縁部において複数の永久磁石が交番極性で配置されている。ステータに配置されたコイルが交番極性で順次付勢されるにつれて、隣接する磁石に対する各ステータの磁気誘引および反発作用がハブを回転させ、それによってディスクを回転させ、情報記憶トラックを横切ってヘッドを通過させる。
【０００４】
そのようなドライブ装置において流体力学的ベアリング組立体を使用することは、従来の球ベアリングドライブ装置と比較してドライブ装置のサイズやノイズ発生が所望どおり減少するために好ましいことである。流体力学的ベアリングにおいては、潤滑流体がスピンドルとハブとの間のベアリング面として機能する。そのようなベアリングはジャーナルおよびスラストタイプである。ジャーナルベアリングが、ハブがスピンドルの周りで回転するにつれてハブの半径方向の位置を固定する。スラストベアリングが、ハブが回転するにつれてハブの軸線方向位置を抑制する。
【０００５】
流体力学的ベアリングを形成するには、対応するハブとスピンドルの一方、他方あるいは双方が、スピンドルに対するハブの回転によって作動する潤滑流体ポンプをつくるために色々なパターンの溝およびランドによってパターンをつけることができる。そのようなポンプはハブが回転している間に潤滑流体の圧力勾配を維持し、スラストおよびジャーナルベアリング機能を提供することができる。ハブが回転していないときには潤滑流体は毛管作用の力によってハブとスピンドルとの間の空隙において適所に保持することができる。
【発明の開示】
【発明が解決しようとする課題】
【０００６】
機械的な安定性を向上させるために第一と第二のカバーをスピンドルに装着させているディスクドライブに対して、スピンドルの両終端における潤滑流体の喪失は不可避であり、そのようなディスクドライブに対する作動寿命を制限する要因となりうる。シール技術は毛管シールとラビリンスシールとを含む。毛管シールは、流路の壁が広がるにつれてメニスカスを形成する潤滑流体の表面張力に依存する末広がり流路である。毛管シールはまた潤滑流体のリザーバとしても供されうるがメニスカスの表面における蒸発を通して潤滑剤を喪失させる嫌いがある。ラビリンスシールは潤滑剤の蒸気が逃げるための細長い通路を提供することによって潤滑剤の蒸発を更に低減させるように毛管シールと共に使用することができる。残念ながら、効果的なラビリンスシールは可也の大きさの空間を使う傾向があり、従ってスピンドルの両端において使用するのは困難である。スピンドルの各端において色々なシール設計を使用しうるが、低圧でのシールからの潤滑流体の喪失を低減するには第一と第二のシールにおける潤滑流体の圧力が概ね同じ圧力であることが重要である。
【課題を解決するための手段】
【０００７】
本発明の第一の実施例によれば、ディスクドライブ組立体は、第一の端部領域と、第二の端部領域と、周面に形成された少なくともジャーナルベアリングパターンとを含み、かつ前記第二の端部領域から垂下した結合構造体を含むスピンドルと、開放した第一の端部と、第二の端部と、少なくとも概ね前記第一の端部から少なくとも概ね前記第二の端部まで外方にテーパのついている内面とを含む全体的にカップ状の構造体と、前記スピンドルと前記カップ状構造体との間で回転可能に装嵌するような形状とされたくぼみ領域を含むハブであって、そこを通して前記結合構造体が前記第二の端部に固定され、かつその周りで該ハブが回転する中央開口を画成しており、前記スピンドルの前記第二の端部分に隣接してスラストベアリングパターンを含むハブと、前記ハブと共に回転するように装着された磁気記憶媒体を含むディスクとを含む。ある実施例においては、前記スピンドルの結合構造体は圧入によって前記の全体的にカップ状の構造体の前記第二の端部に結合される。別の実施例においては、前記スピンドルの外周面と前記ハブのくぼみ領域の内面とは毛管シールを形成するような外形とされ、前記ハブのくぼみ領域の外周面と前記の全体的にカップ状の構造体の内面とは毛管シールを形成するような外形とされている。更に別の実施例においては、前記の全体的にカップ状の構造体の開放した第一の端部は更にリップを含み、前記リップの面は更に、前記ハブの隣接する面と共にラビリンスシールを構成する。ある実施例においては、前記ハブは更に潤滑剤の循環流路を含む。ある実施例においては、前記スピンドルの第一の端部はディスクドライブのカバーを取り付けるためのボルトあるいはネジを受け入れるような形状とされている。
【０００８】
ある実施例においては、全体的にカップ状の構造体は基部構造体に形成されている。一方、他の実施例においては、全体的にカップ状の構造体と基部構造体とは、前記の全体的にカップ状の構造体の第二の端部の近傍で相互に結合される別個の構造体である。
【０００９】
別の実施例においては、ディスクドライブ組立体は、第一の端部領域と、第二の端部領域と、その周面において形成された少なくとも１個のジャーナルベアリングパターンとを含み、かつ前記の第二の端部領域から垂下した結合構造体を含むスピンドルと、全体的にカップ状の構造体が中に形成されている基部であって、前記の全体的にカップ状の構造体が開放した第一の端部分と、第二の端部分と、少なくとも概ね前記第一の端部分から少なくとも概ね前記第二の端部分まで外方にテーパがつけられている内面とを含む基部と、第一と第二の面を有するスラストワッシャであって、その第一の面において形成された流体力学的ベアリングパターンを有し、前記スピンドルの結合構造体と結合するような形状とされた中央孔を画成し、外周領域が前記の全体的にカップ状の構造体の前記第二の端部分の内面と結合するような形状とされているスラストワッシャと、前記スピンドルと、スラストワッシャと、前記のカップ状の構造体との間で回転可能に装嵌するような形状とされ、前記スピンドルの結合構造体がそこを通して前記スラストワッシャの中央孔に固定される中央開口を画成しているくぼみ領域を含み、前記スラストワッシャの第一の面に形成された流体力学的ベアリングパターンに隣接する面を含むハブと、前記ハブと共に回転するように装着された磁気記憶媒体を含むディスクとを含む。その他の特徴は前述の実施例に関連して説明したものと同様である。
【００１０】
更に別の実施例において、ディスクドライブモータは永久磁石のロータと固定ステータコイルとを含めることによって前述した実施例における組立体と共に構成することができる。
【００１１】
図において共通の参照番号は諸実施例における共通の特徴を指示する。
【発明を実施するための最良の形態】
【００１２】
以下の説明は当該技術分野の専門家が本発明の各種の局面を製造し、かつ使用できるようにするために提供する意図のものである。特定の材質、技術および適用は単に例として提供するものである。当該技術分野の専門家には本明細書で説明する例に対する各種の修正は直ちに明らかとなり、そして本明細書に記載の一般原理は本発明の精神や範囲から逸脱することなくその他の例や用途に対しても適用しうる。例えばそれらの局面や例はディスクメモリドライブに使用するモータを含め各種のモータにおいても採用することができる。ディスクメモリドライブ用のモータは多数の方法で設計が可能であり、かつ作動できる。本明細書において提供されている典型的なモータとか、その他の典型的な主題は各種の局面を例示するためのものであり、そのような例や局面が適用されうるモータや装置の範囲を限定する意図のものでない。
【００１３】
作動の間、ディスクは一般に該ディスクを支持するハブの内部に位置した電気モータによって密閉ハウジング内で極めて高速回転することができる。ある実施例においては、モータはハブ内あるいはスピンドル内モータとして知られている。そのようなスピンドル内モータはハブの中心に位置した固定モータシャフト（スピンドル）に対して球あるいは流体力学的ベアリング装置によって装着することができるスピンドルを有しうる。ある実施例においてはそのようなモータは円形に配置された複数の歯を含む組立体の基部に形成されたステータを含む。各歯はステータを極性化するために順次付勢しうるコイルあるいは巻き線を支持することができる。ある実施例においては、複数の永久磁石２４ａ，２４ｂが前記ステータに隣接して前記ハブの内縁部において交番極性で配置しうる。前記ステータに配置されたコイル２２ａ，２２ｂが交番極性で順次付勢されるにつれて、隣接する磁石に対する各ステータの磁気による誘引および反発がハブを回転させ、それによってディスクを回転させ、ヘッドを横切って情報記憶トラックを通過させることができる。
【００１４】
図１は本発明の実施例によるディスクドライブ組立体の分解された状態の斜視図を示し、図２は図１に示す実施例の分解された状態の断面図を示す。図３は図１および２に示す実施例の組み立てられた状態の断面図を示す。
【実施例１】
【００１５】
図１、図２および図３を参照すれば、カップ１２は中央の開放部分７６を有するハブ１４のくぼみ領域７７を回転可能に誘引しながら、基部１０に組み立てられる。図２の断面図から容易に判りうるように、全体的にカップ状の構造体（以下「カップ」と称する）１２は概ね円筒形であり、底部は密閉されている。ある実施例においては、底部突起７１はカップの主要部分７３よりも小さい直径としうる。そのような実施例においては、前記底部突起７１は基部１０の空洞７０中へ装嵌しうる。他の実施例において前記底部突起７１は省略しうる。カップ１２は、鋼、アルミニューム、青銅、あるいは当該技術分野の専門家には周知であるその他の適当な材料からつくりうる。カップ１２は圧入、溶接あるいは接着剤によって基部１０に固定しうる。ある実施例においては、カップ１２はカップリップ７４と合流するカップの開放端部に向かって外方へテーパがつけられた側壁を有しうる。この外方へのテーパによって、カップがハブ１４と組み立てられると毛管シールを提供する（図４の数字３５を参照）。カップリップ７４は組み立てられると、ハブ１４の隣接する面と共にラビリンスシールを形成することができる。
【００１６】
さて、図２に示す実施例を参照すれば、スピンドル１８は本体部分８０とカップへの取り付け部分８１を含む。スピンドル取付け部分８１はハブ１４がスピンドル１８の周りで回転できるようにするためにハブ１４のくぼみ領域７７の中央開放部分７６を貫通するような形状とされている。スピンドル１８の本体部分８０は毛管シール部分８２と流体力学的ジャーナルベアリング部分３２ａおよび３２ｂを含む。２個の流体力学的ジャーナルベアリング部分が示されているが、本発明のその他の実施例においては１個の、あるいはいずれかの数の流体力学的ジャーナルベアリングを有しうる。一実施例においては、スピンドル１８はカップ１２の対応する孔７５中へスピンドル部分８１を圧入することによってカップ１２に取り付けられる。当該技術分野の専門家に周知であるような代替的な取り付け方法も使用しうる。スピンドルは鋼、アルミニューム、あるいは当該技術分野の専門家には周知であるその他の適当な材料からつくりうる。図３から判りうるように、スピンドル１８がカップ１２に結合され、かつカップ１２が基部１０に結合されると、ハブ１４はスピンドル１８によって回転可能に適所に固定される。ハブ１４の回転を示す矢印は図２において矢印８３によって示される通りである。循環流路１０１がカップ１２とハブ１４との境界面の間およびハブ１４とスピンドル１８の境界面の間で潤滑流体を連通させる。
【００１７】
図４は図３に示す実施例の細部を示す。本実施例において、カップ１２の内面はスピンドル１８の面に隣接してスラストベアリング３４を提供するようにパターンがつけられている。代替的に、スラストベアリング３４に隣接して示されているスピンドル１８の面をスラストベアリングとしてつくるようにしてもよい。本実施例においては、２個の毛管シールがある。一方の毛管シール３６はハブ１４とスピンドル１８の間に形成されている。他方の毛管シール３５はハブ１４とカップ１２との間に形成されている。ある実施例においては、カップ１２はハブ１４およびスピンドル１８と組み立てる前に潤滑流体を少なくとも部分的に充填しておくことができる。ハブ１４は鋼、アルミニュームあるいは当該技術分野の専門家には周知のその他の適当な材料からつくることができる。
【実施例２】
【００１８】
図５はカップ部分４２が基部４０と一体である本発明の第二の実施例の分解された状態の斜視図を示す。少なくとも１個のディスク１６に結合されたハブ１４は回転可能に前記カップ部分と組み立てられ、図６において断面図から判るようにスピンドル１８によって適所に少なくとも部分的に保持されている。本実施例のその他の構成要素は前述の実施例に関連して前述した通りである。
【実施例３】
【００１９】
図７ａおよび７ｂは第三の実施例によるスピンドル、ハブおよびスラストワッシャの組立体の分解した状態の斜視上面図および底面図を示す。ハブ１４は少なくとも１個のディスク１６に結合されている。スピンドル１８は図示のようにハブ１４を通して挿入し、スラストワッシャ７１に結合することができる。スラストワッシャ７１にはスピンドル１８と結合するための内孔と、カップ部分４２と結合するように形成された外径部と、ハブ１４の隣接する面に対して組み立てられるとスラストベアリングとして機能するように構成された流体力学的ベアリングのパターンがつけられた面とを形成することができる。図８は図７に示す実施例の断面図を示す。スピンドル１８は圧入、溶接、接着剤あるいは当該技術分野の専門家には周知のその他の方法によってスラストワッシャ７１に結合させることができる。
【００２０】
図９は組立て前における、スピンドル、ハブおよびスラストワッシャの組立体９３と一体のカップ４０を備えた基部との分解された状態の斜視図を示す。図１０は図９に示す実施例を断面図で示す。図１１は組み立て後の図９に示す実施例を示し、図１２は図１１の細部を示す。スラストワッシャ７１はスラストベアリングとして作用するようにパターンがつけられた面をハブ１４に隣接して有する。スラストワッシャ７１はまた、図示のようにスピンドル１８に隣接して潤滑剤循環流路１０２を有している。１個の循環流路のみが示されているが、他の実施例においては、１個以上の循環流路を有することができる。その他の実施例では、循環流路をスピンドル１８の軸線からより遠位側に備えたスラストワッシャを有しうる。
【００２１】
再び図１０を参照すれば、基部４０と一体のカップはスピンドル、ハブおよびスラストワッシャの組立体９３と組み立てる前に少なくとも部分的に潤滑流体を充填させることができる。
【００２２】
本発明をある実施例に関して説明してきたが、本発明は本明細書に記載した特定の形態に限定される意図のものではない。例えば、ディスクドライブ記憶装置の実施例が説明されてきたが、その他の実施例はＣＤドライブ、ＤＶＤドライブあるいはその他の用途のためのモータ組立体に適用することも可能である。従って、本発明の範囲はむしろ特許請求の範囲によってのみ限定される。更に、特徴が特定の実施例に関して説明されているように見えるが、当該技術分野の専門家には説明した実施例の各種の特徴が本発明に従って組み合わされうることが認識される。特許請求の範囲において、含まれる請求項目はその他の要素あるいは方法の段階の存在を排除するものではない。
【００２３】
更に、個々に列挙されているとしても、複数の手段、要素あるいは方法の段階は、例えば単一のユニットあるいはプロセッサによって実行されうる。更に、個々の特徴は諸々の請求項にも含めることは可能であるが、それらは有利なように組合み合わせることも可能であり、諸々の請求項に含めるということは特徴の組み合わせが可能でないとか、および（または）有利でないという意味ではない。請求項の一区分に特徴を含めるということはその区分に対する限定を意味するのではなく、その特徴が適宜、請求項のその他の区分に対しても同等に適用可能であることをむしろ指示しているものである。更に、請求項における特徴の順序は、その特徴を実行する必要のある特定の順序を意味するものではなく、特に、方法の特許請求における個々の段階の順序はそれらの段階がその順序で実行する必要があるということを意味するものではない。むしろ、方法の段階はいずれか適当な順序で実行すればよい。
【００２４】
提供された図面は単に例示的なものであり、スケール通り作画されていないことがありうる。ある比率は誇張されていたり、一方別の比率は縮小されているかもしれない。図面は当該技術分野の専門家によって理解され、かつ適当に実行することができる本発明の各種の実施を例示する意図のものである。
【００２５】
従って、本発明は特許請求の範囲に記載の精神と範囲内において、修正および変更を加えて実施可能であることを理解すべきである。本説明は厳密なものでなく、本発明を開示された正確な形態に限定する意図のものでない。本発明は修正あるいは変更を加えて実施可能であり、かつ本発明は特許請求の範囲およびそれと同等のものによってのみ限定しうることを理解すべきである。
【図面の簡単な説明】
【００２６】
【図１】本発明の第一の実施例によるディスクドライブ組立体の分解された状態の斜視図である。（実施例１）
【図２】図１に示す実施例の分解した状態の断面図である。
【図３】図２に示す実施例の組み立てられた状態の断面図である。
【図４】図３に示す断面図の詳細である。
【図５】本発明の第二の実施例によるディスクドライブ組立体の分解された状態の斜視図である。（実施例２）
【図６】図５に示す実施例の組み立てられた状態の断面図である。
【図７ａ】本発明の第三の実施例によるハブ、スピンドルおよびスラストワッシャの小組立体の二種類の分解された状態の斜視図である。（実施例３）
【図７ｂ】本発明の第三の実施例によるハブ、スピンドルおよびスラストワッシャの小組立体の二種類の分解された状態の斜視図である。（実施例３）
【図８】図７ａおよび７ｂに示す小組立体の分解された状態の断面図である。
【図９】ハブおよびスピンドルの小組立体とディスクドライブ基部の分解された状態の斜視図である。
【図１０】図９に示す実施例の断面図である。
【図１１】組み立て後の図９に示す実施例の断面図である。
【図１２】図１１に示す実施例の細部を示す。
【符号の説明】
【００２７】
１０、４０  基部
１２、４２  カップ
１４  ハブ
１６  ディスク
１８  スピンドル
２２ａ，２２ｂ  永久磁石
２４ａ，２４ｂ  ステータ
３４  スラストベアリングパターン
３５  毛管シール
３６  毛管シール
７１  スラストワッシャ
７４  リップ
７６  中央開口
７７  くぼみ部分
８１  カップの取付け部分
９３  スピンドル、ハブおよびスラストワッシャの組立体
１０１、１０２  潤滑流体循環流路
【図１】
0005160778.tif 000002
【図２】
0005160778.tif 000003
【図３】
0005160778.tif 000004
【図４】
0005160778.tif 000005
【図５】
0005160778.tif 000006
【図６】
0005160778.tif 000007
【図７ａ】
0005160778.tif 000008
【図７ｂ】
0005160778.tif 000009
【図８】
0005160778.tif 000010
【図９】
0005160778.tif 000011
【図１０】
0005160778.tif 000012
【図１１】
0005160778.tif 000013
【図１２】
0005160778.tif 000014